Podtech/llm-jp-corpus-v4-ja_patent huggingface dataset:
(57)【要約】      （修正有）【課題】認知症等の人の徘徊が発生した時、早期に徘徊者等の発見と本人確認ができ夜間の交通事故などの危険を回避できるよう、徘徊者等が常に身に付け、昼間は勿論の事、夜間でも捜索時の目印になり、かつ安価に実現することができる履物用ステッカーを提供する。【解決手段】表面に、各自治体の象徴するマークやその自治体名の文字と事前に登録した徘徊者の登録番号を記入した黄色蛍光体の反射材のステッカーとで履物用ステッカーを構成している。【選択図】図１
0003170531.tif 000002
【実用新案登録請求の範囲】
【請求項１】
認知症等徘徊者を早期発見、保護する為に、表面に各自治体の象徴するマークやその自治体名の文字と事前に登録した徘徊者の登録番号を配してあることを特徴とする、認知症等徘徊者の履物のかかと部分に貼る黄色蛍光体の反射材ステッカーである。
【考案の詳細な説明】
【技術分野】
【０００１】本考案は、認知症等徘徊者を早期発見する為の履物用ステッカーに関する考案である。
【背景技術】
【０００２】従来より認知症等の徘徊者や迷子を発見、保護する為に名前や連絡先の記入されたブレスレットやＧＰＳ機能のついた位置確認携帯端末機で位置を確認して発見、保護する器具がある。【０００３】しかしながら、従来のブレスレットや位置確認携帯端末機は認知症等の徘徊者本人が常に身につけていなければ意味がなく、ブレスレットは長袖の服を着ている場合、袖の中に隠れて見えにくい。【０００４】また、位置確認携帯端末機は高価でありバッテリーなどの寿命や充電など管理するのに経費もかかる。【０００５】以上のような理由から、認知症等徘徊者を発見するためのものであっても利用する人は少なく、認知症等徘徊者を早期に発見ことができなかった。
【先行技術文献】
【特許文献】
【０００６】
【特許文献１】登録実用新案第３０６４５４２号公報
【特許文献２】特許公開２００８−１０９２９４
【考案の概要】
【考案が解決しようとする課題】
【０００７】本考案は、以上のような従来の欠点に鑑み、安価で、外出する時に常に身に着ける履物に貼るため、徘徊が発生した時、徘徊者を早期に発見する為の目印になる履物用ステッカーを提供する事を目的としている。
【課題を解決するための手段】
【０００８】上記目的を達成するために、黄色蛍光体の反射材ステッカーの表面に各自治体の名前やマークの記載欄と事前に登録した本人確認の登録番号の記載欄を設けたことを特徴とする履物用ステッカーを構成としている。
【考案の効果】
【０００９】本考案の履物用ステッカーは、黄色蛍光体の反射材なので昼間でも目立ち、夜間でも車等のライトに反射して光る為、捜索の目印になることから徘徊者の発見が容易であり、交通事故等からも回避できる。【００１０】また、事前に登録した各自治体の名前やマークや本人確認の登録番号から、発見時、徘徊者本人が喋れなくても、本人確認がすぐにできる。【００１１】また、本考案に係る製品は構成も簡単なため、容易に製作することができるので安価で供給することができる。【００１２】以上のことから、徘徊者本人及び徘徊者の家族やその関係者の金銭的負担、肉体的負担、精神的負担が軽減され、多くの人が利用することができる。
【図面の簡単な説明】
【００１３】
【図１】本考案を実施するための最良の第１の形態の正面図である。
【図２】本考案の断面図である。
【図３】本考案の履物に貼った時の使用例参考図である。
【考案を実施するための形態】
【００１４】以下、本考案の形態を図に基づいて説明する。
【実施例】
【００１５】図１は、本考案の正面図１であって、１ａは各自治体のマークで１ｂは各自治体の名前を記載する箇所である。１ｃは、各自治体に徘徊者の情報を事前登録した番号を記載する箇所である。【００１６】図２は、本考案１の断面図であって、２ａは前述のマークや名前、登録番号が印刷された部分を示している。２ｂは黄色蛍光体の反射材でその裏面に粘着剤２ｃを塗布し、この粘着剤２ｃの上に剥離紙２ｄを貼着する４層構造である。【００１７】図３は、本考案１を履物に貼った状態の使用例参考図である。
【産業上の利用可能性】
【００１８】本考案は福祉に関する産業で利用される。
【符号の説明】
【００１９】  １  本考案１ａ  各自治体のマーク１ｂ  各自治体の名前１ｃ  各自治体に事前登録した番号２ａ  マークや名前、登録番号が印刷された部分２ｂ  黄色蛍光体の反射材２ｃ  粘着剤２ｄ  剥離紙
【図１】
0003170531.tif 000003
【図２】
0003170531.tif 000004
【図３】
0003170531.tif 000005
(57)【要約】      （修正有）【課題】不特定多数の人が利用する洋式便所で便座用ペーパーシートカバー、消毒用アルコールが品切れ又は備え付けの無い場合利用者が便座に直接肌を付ける不快感、ヒンヤリ感べとつき感の解消と衛生面から気持ちよく使用する為に、トイレットペーパーで代用し易くする為の便座を提供する。【解決手段】便座に切り込み及びクリップを設けこれらにトイレットペーパーを挟み込み軽く固定し腰を降ろすまですべり落ちることの無い様にする。又使用後は簡単に固定したトイレットペーパーを取り外し便器内に落とし込み処分することが出来る。【選択図】図１
0003170031.tif 000002
【実用新案登録請求の範囲】
【請求項１】
トイレットペ−パ−を挟み込む為の切り込みを設ける、切り込みを設ける位置は、洋式便座に腰を降ろした時後方臀部両側各１箇所、この切り込みを設けたことを特徴とする洋式便座。
【請求項２】
トイレットペ−パ−を挟み込みできるクリップを設ける、クリップを設ける位置は、前記切り込みの前方に各１箇所、洋式便座に腰を降ろし時前方膝付近に１，２箇所クリップを設けたことを、特徴とする請求事項１に記載の洋式便座。
【考案の詳細な説明】
【技術分野】
【０００１】本考案は、洋式便座のペーパーシートカバー又は消毒用アルコールの代わりに、トイレットペーパーで代用できる形状とした便座である。
【背景技術】
【０００２】従来は洋式便座のシートカバーの代わりにトイレットペーパーを便座の上へ敷いた場合滑り落ちるので代用しにくかった。
【考案概要】
【考案が解決しようとする課題】
【０００３】会社デパート病院等で不特定多数の人が利用する洋式トイレで備え付けのペーパーシートカバー、消毒用アルコールが切れている又は、備え付けの無い場合トイレットペーパーで便座カバーの代用とすることがある。この時便座表面は防汚の為ツルツルなので敷いたトイレットペーパーが腰を降ろすまでにすべり落ちることがしばしばあった。
【課題を解決する為の手段】
【０００４】洋式便座に、切り込み及びクリップを設け、トイレットペーパーを軽く固定する様にした。
【考案の効果】
【０００５】トイレットペーパーを切り込み、クリップに挟み込むことにより便座からすべり落ちることが無くなり、気持ちよく使用できる。
使用後は簡単に取り外し、便器内に落とし処分できる。
【図面の簡単な説明】
【０００６】
【図１】考案した、切り込みクリップにトイレットペーペーを挟み込んだ便座の平面図である。
【図２】考案したクリップにトイレットペーペーを挟み込んだ便座の断面図である。
【符号の説明】
【０００７】１    便座本体
２    切り込み
３    クリップ
４    トイレットペーパー
【図１】
0003170031.tif 000003
【図２】
0003170031.tif 000004
(57)【要約】      （修正有）【課題】主として飲食業関係の店舗の内装において、レコードジャケットを装飾要素とした壁面装飾体を提供する。【解決手段】多数の方形枠体が配列されて成る壁面体において、該方形枠体１の裏面に裏打ち材２が接合されるとともに、内部にＥＰ盤のレコードジャケット３が収納され、表面に透明な表面板４が着脱自在に接合され、壁面に取りつけることにより壁面の装飾体を構成するようにした。【選択図】図２
0003170016.tif 000002
【実用新案登録請求の範囲】
【請求項１】
多数の方形枠体が配列されて成る壁面体において、
該方形枠体の裏面に裏打ち材が接合されるとともに、内部にレコードジャケットが収納され、表面に透明な表面板が着脱自在に接合されて成る。
【考案の詳細な説明】
【技術分野】
【０００１】
本考案は、主として飲食業関係の店舗の壁面の内装に用いられる壁面装飾体に関する。
【背景技術】
【０００２】
古くから建築物の天井仕上げでは格子状の格天井が挙げられ、その天井板にはマンダラなどの絵模様が描かれて天井面を装飾したものが見られるが、壁面を格子状に仕上げてその内部に装飾要素を封入した技術は未提案の現状である。
【考案の概要】
【考案が解決しようとする課題】
【０００３】
本考案は上記に鑑みて、主として飲食業関係の店舗の内装において、ＥＰ盤のレコードジャケットを装飾要素とした壁面装飾体の提供をその目的とする。
【課題を解決するための手段】
【０００４】
本考案の請求項１に記載した壁面装飾体は、多数の方形枠体が配列されて成る壁面体において、該方形枠体の裏面に裏打ち材が接合されるとともに、内部にレコードジャケットが収納され、表面に透明な表面板が着脱自在に接合されて成る。
【考案の効果】
【０００５】
本考案の壁面装飾体によれば、飲食する際に周囲の壁面やカウンターなどの仕切り壁面に各種各様のジャンルのレコードジャケットを目視できるから、装飾要素としての働きのほかに、話題提供の一役も担うなど、楽しい飲食の雰囲気を醸しだす効果がある。
【図面の簡単な説明】
【０００６】
【図１】本考案に係る壁面装飾体Ａの利用状態の説明図。
【図２】方形枠体１の説明図で、（ａ）は表面板４の平面図、（ｂ）はレコードジャケット３を収納した方形枠体１の説明用平面図、（ｃ）は（ｂ）のＡ−Ａ矢視断面図。
【図３】方形枠体１の交差部７の部分拡大図。
【考案を実施するための形態】
【０００７】
本考案における方形枠体は、桟組み状に形成されるものから単独に形成される方形枠体も含まれるものであり、大面積の壁面装飾体を構築する場合には桟組み状に方形枠体を多数配列した方がコスト面で有利であり、カウンターなどの前面の仕切り壁面においては単独の方形枠体を所要数配列する方式が利便性が高い点で好ましい。
【実施例】
【０００８】
本考案を一実施例により説明すると、図２に示すように、所要平面積を確保できる枠内寸法と高さ寸法からなる木製の縦桟１aと横桟１bによる桟組み状の方形枠体１が多数形成され、その裏面に薄手の合板等の裏打ち材２が裏打ちされ、内部には図２（ｂ）、（ｃ）に示すように、ＥＰ盤３aの入ったレコードジャケット３が収納され、表面には図２（ａ）に示す透明な表面板４がビス５で着脱自在に接合されるが、ネジ孔６は図３に示すように、方形枠体１の交差部７の四半分の領域に螺設されるものである。
【０００９】
このようにして成る壁面装飾体Ａは、図１に示すように、コーヒーショップやミルクホール、ジャズ喫茶店、酒場等の店舗８の壁面９に利用され、方形枠体１に収められた各種各様のジャンルのレコードジャケット３によって壁面が装飾されるとともに、年代毎の出来事や思い出などの話題が誘発される。本実施例での表面板４の取り付けはビス５によるものであるが、蝶ネジなどによる着脱の簡易な接合であればレコードジャケット３の中身のＥＰ盤３aを聴くことができるような演出も可能であり、また、表面板４の接合は方形枠体１のほかに、裏打ち材や、コーナー部に接合される直角三角形状のコマ（図外）などにも接合される。
【産業上の利用可能性】
【００１０】
本考案は、飲食業関係での店舗に利用されて飲食する場の雰囲気を演出してその利用効果が期待される上、建築内装業界にも利用され得る技術である。
【符号の説明】
【００１１】
１：方形枠体
１a：縦桟
１b：横桟
２：裏打ち材
３：レコードジャケット
３a：ＥＰ盤
４：表面板
５：ビス
６：ネジ孔
７：交差部
８：店舗
９：壁面
Ａ：壁面装飾体
【図１】
0003170016.tif 000003
【図２】
0003170016.tif 000004
【図３】
0003170016.tif 000005
【手続補正書】
【提出日】平成23年6月27日(2011.6.27)
【手続補正１】
【補正対象書類名】実用新案登録請求の範囲
【補正対象項目名】全文
【補正方法】変更
【補正の内容】
【実用新案登録請求の範囲】
【請求項１】
多数の方形枠体が配列されて成る壁面体において、
該方形枠体の裏面に裏打ち材が接合されるとともに、内部にレコードジャケットが収納され、表面に透明な表面板が着脱自在に接合されて成る壁面装飾体。
(57)【要約】      （修正有）【課題】チップ部品を収納したキャリアテープを、巻かれたリールに長時間整然と固定する固定用バンドを提供する。【解決手段】突起３とそれを覆う蓋４の間にカバーテープ６を挟みこんで固定し、この蓋に繋がった伸縮性のある帯部分を、キャリアテープ７とカバーテープ６の上に一周させ、帯の終端部に複数あけた窓５に蓋４を通して固定する。経時劣化する粘着テープに頼らず、キャリアテープの上を一周するバンド方式によって、長期間キャリアテープをリール状に巻きつけることができ、かつ残量が少なくなってキャリアテープの巻き量が減った状態でも確実に留めることができる。また、カバーテープとキャリアテープをずらすことなく巻きつけていられるので、チップ部品等の落下を防ぎ、チップリールを整然と保管することができる。【選択図】図２
0003170014.tif 000002
【実用新案登録請求の範囲】
【請求項１】
キャリアテープと同じまたはそれ以下の幅及び、キャリアテープを巻いたリールの外周以上の長さを外形寸法とし、伸縮性の素材であって、先端に突起とそれを覆う蓋、終端側に先端部の蓋を通すための穴を複数有し、先端部の突起と蓋の間にキャリアテープより剥離されたカバーテープの先端を挟みこんで固定し、リールに巻かれたキャリアテープとカバーテープの最上面の上を巻き方向に一周させ、終端側の穴に先端部の蓋を通して固定する構造を有する固定バンド。
【考案の詳細な説明】
【技術分野】
【０００１】  本考案は、リールに巻かれたキャリアテープを固定するためのバンドの構造に係わる。
【背景技術】
【０００２】  キャリアテープに収納後カバーテープで覆い、リールに巻いた状態のチップ部品が多く流通しているが、この梱包品のカバーテープを剥離して部品を使用し、その後保管するケースもある。【０００３】  一度開封されたキャリアテープを、リールに巻きつけた状態で保管するために、先端を粘着性のテープで固定する方法は多く採用されている。（特許文献１）
【先行技術文献】
【特許文献】
【０００４】
【特許文献１】特開２０１０−１１１４８１
【考案の概要】
【考案が解決しようとする課題】
【０００５】  しかし、キャリアテープが厚い紙製であったり、あるいは開封済みのリールを長期間保管するような場合、粘着テープだけでは充分固定されず、キャリアテープがリールからはみ出たり、カバーテープが外れて部品が落下したりする問題がある。
【課題を解決するための手段】
【０００６】  本考案は、突起と蓋でカバーテープの先端を挟み込んだ伸縮性のある帯を、リールに巻かれたキャリアテープの最上面を一周させて固定することで、リールに巻かれたキャリアテープの巻きを保持する、バンド構造である。
【考案の効果】
【０００７】  本考案によれば、経時劣化する粘着テープに頼らず、キャリアテープの上を一周するバンド方式によって、長期間キャリアテープをリール状に巻きつけることができ、かつ残量が少なくなってキャリアテープの巻き量が減った状態でも確実に留めることができ、かつカバーテープとキャリアテープをずらすことなく巻きつけていられるので、チップ部品等の落下を防ぎ、チップリールを整然と保管することができる。
【図面の簡単な説明】
【０００８】
【図１】本考案の上面及び断面図である。
【図２】本考案を装着する際の説明図である。
【考案を実施するための形態】
【０００９】  以下、本考案の実施例を図面に示す番号を用いて説明する。
【００１０】  図１は本考案の製品形態である。キャリアテープの固定用バンドとして使用する際には、図２に示すように、キャリアテープより剥離されたカバーテープ６の先端を、図１及び２の突起３と蓋４の間に挟み込む。
【００１１】  カバーテープの上に被さった、図１及び２に示す蓋４は、図１に示す爪１によって、固定される。
【００１２】  図２に示すカバーテープ６、キャリアテープ７の巻き方向に沿って、本考案の帯部分を一周させ、窓５に蓋４を通して固定する
【符号の説明】
【００１３】１・・・・・ツメ
２・・・・・突起部と蓋の連結
３・・・・・突起
４・・・・・蓋
５・・・・・窓
６・・・・・カバーテープ
７・・・・・キャリアテープ
８・・・・・リール
【図１】
0003170014.tif 000003
【図２】
0003170014.tif 000004
(57)【要約】      （修正有）【課題】皮革の外観と触感をもち、環境汚染が生じず、生産コストも低くすることが可能なケースを提供する。【解決手段】皮革の触感をもつ基材の上に、粘着層と、インク層と、皮革塗装層と、離型層と、複合基材層とを順番に設けてなる。離型層には、少なくとも一つの固体顆粒が加えられる。固体顆粒は、蝋、或いは、二酸化シリコン、或いは、二酸化チタン、或いは、ナノ炭酸カルシウム、或いは、その組み合わせであり、その粒径の範囲は１ｍｍから１５ｍｍであり、好ましくは３ｍｍから１０ｍｍである。【選択図】図１
0003170015.tif 000002
【実用新案登録請求の範囲】
【請求項１】
皮革の触感をもつ基材の上に、粘着層と、インク層と、皮革塗装層と、離型層と、複合基材層とを順番に設けてなる、Ｉｎ−Ｍｏｌｄ  Ｒｏｌｌｅｒを用いて製作したケースであって、
前記離型層には、少なくとも一つの固体顆粒が加えられることを特徴とする、Ｉｎ−Ｍｏｌｄ  Ｒｏｌｌｅｒを用いて製作したケース。
【請求項２】
前記固体顆粒は、蝋、或いは、二酸化シリコン、或いは、二酸化チタン、或いは、ナノ炭酸カルシウム、或いは、その組み合わせであることを特徴とする、請求項１に記載のＩｎ−Ｍｏｌｄ  Ｒｏｌｌｅｒを用いて製作したケース。
【請求項３】
前記固体顆粒の粒径の範囲は、１mｍから１５mｍであることを特徴とする、請求項１、または請求項２に記載のＩｎ−Ｍｏｌｄ  Ｒｏｌｌｅｒを用いて製作したケース。
【請求項４】
前記固体顆粒の粒径の範囲は、３mｍから１０mｍであることを特徴とする、請求項１、または請求項２に記載のＩｎ−Ｍｏｌｄ  Ｒｏｌｌｅｒを用いて製作したケース。
【考案の詳細な説明】
【技術分野】
【０００１】
本考案はＩｎ−Ｍｏｌｄ  Ｒｏｌｌｅｒを用いて製作したケースに関し、特に物体の表面の皮革の触感を高めた薄膜構造に関する。
【背景技術】
【０００２】
従来の物体の表面構造は、ケースの表面を保護するために、平らで硬い層にしているため、ケースの表面の外観や触感が望み通りにできず、消費者の購買意欲も減退させている。
【０００３】
市場には皮革の触感をもつ製品（例えば、携帯、ノート型パソコン、マウスなどの３Ｃ製品）があるが、しかしながら、皮革の材料自体が、傷がつきやすく、耐熱性も弱いため、適用できる範囲が限られている。しかも、皮革を正確に熱成型や裁断することは難しいため、製品のサイズの正確さが低くなる。また、一方で、皮革塗装する方法だと、環境が汚染されるだけでなく、スプレーの歩留まりや、スプレーの乾燥工程に関し、生産コストが大きくなり、やはりその用途が制限される。
【考案の概要】
【考案が解決しようとする課題】
【０００４】
そこで、本考案は、皮革の外観と触感をもち、環境汚染が生じず、生産コストも低くすることが可能な、Ｉｎ−Ｍｏｌｄ  Ｒｏｌｌｅｒを用いて製作したケースを提供することを目的とする。
【課題を解決するための手段】
【０００５】
本考案によるＩｎ−Ｍｏｌｄ  Ｒｏｌｌｅｒを用いて製作したケースは、複合基材層に、複数種類の分散粒子を含む樹脂を設け、その下に、適切な離型層、皮革塗装層、インク層、粘着層を設けることで、最終的に固定されたケースが形成される。なお、このケースは、プラスチックと射出成型することによってなる。
【０００６】
言いかえると、本考案によるＩｎ−Ｍｏｌｄ  Ｒｏｌｌｅｒを用いて製作したケースは、複合基材層と、離型層と、皮革塗装層と、インク層と、粘着層とを備える。
【０００７】
本考案によるＩｎ−Ｍｏｌｄ  Ｒｏｌｌｅｒを用いて製作したケースは、更に皮革の触感に近づけるために、離型層には少なくとも一つの固体顆粒を加える。その内、固体顆粒は、蝋、或いは、二酸化シリコン、或いは、二酸化チタン、或いは、ナノ炭酸カルシウム、或いは、その組み合わせであり、その粒径の範囲は１mｍから１５mｍであり、好ましくは３mｍから１０mｍである。
【図面の簡単な説明】
【０００８】
【図１】本考案の構造を示した断面図である。
【考案を実施するための形態】
【０００９】
図１に示すように、本考案の「Ｉｎ−Ｍｏｌｄ  Ｒｏｌｌｅｒを用いて製作したケース」の薄膜構造２０１は、皮革の触感をもつ基材１００の上に、粘着層１０５と、インク層１０４と、皮革塗装層１０３と、離型層１０２と、複合基材層１０１とを順番に設けてなる。更に皮革の触感に近づけるために、離型層１０２には少なくとも一つの固体顆粒１０６を加える。その内、固体顆粒１０６は、蝋、或いは、二酸化シリコン、或いは、二酸化チタン、或いは、ナノ炭酸カルシウム、或いは、その組み合わせであり、その粒径の範囲は１mｍから１５mｍであり、好ましくは３mｍから１０mｍである。
【００１０】
本考案の製作工程の説明を行う。まず、射出成型モールドを提供する。射出成型モールドは、キャビティと、キャビティに対応するコアとからなる。なお、キャビティは模様構造を備えている。詳しく言うと、成型モールドは、得たいケースの形状或いは構造に応じて、選択や変更を行うことができる。皮革模様構造をもつ基材を得るために、例えば、キャビティの部分にシボを行って、得たい模様構造を形成させる。模様構造の形成方法に関しては、化学エッチング（例えば、化学溶液を、成型モールドの表面に対してマイクロエッチングする）や、電解エッチングによって行うことができる。
【００１１】
複合基材層には、複数種類の分散粒子を含む樹脂を塗布し、さらに、その下に適切な離型層、皮革塗装層、インク層、粘着層を設け、最終的に、プラスチックと射出成型を行い薄膜構造を形成させる。
【符号の説明】
【００１２】
１００  基材                        
１０１  基材層          
１０２  離型層
１０３  皮革塗装層            
１０４  インク層      
１０５  粘着層
１０６  固体顆粒            
２０１  薄膜構造
【図１】
0003170015.tif 000003
【手続補正書】
【提出日】平成23年6月27日(2011.6.27)
【手続補正１】
【補正対象書類名】実用新案登録請求の範囲
【補正対象項目名】全文
【補正方法】変更
【補正の内容】
【実用新案登録請求の範囲】
【請求項１】
皮革の触感をもつ基材の上に、粘着層と、インク層と、皮革塗装層と、離型層と、複合基材層とを順番に設けてなる、ケースであって、
前記離型層には、少なくとも一つの固体顆粒が加えられることを特徴とする、ケース。
【請求項２】
前記固体顆粒は、蝋、或いは、二酸化シリコン、或いは、二酸化チタン、或いは、ナノ炭酸カルシウム、或いは、その組み合わせであることを特徴とする、請求項１に記載のケース。
【請求項３】
前記固体顆粒の粒径の範囲は、１mｍから１５mｍであることを特徴とする、請求項１、または請求項２に記載のケース。
【請求項４】
前記固体顆粒の粒径の範囲は、３mｍから１０mｍであることを特徴とする、請求項１、または請求項２に記載のケース。
(57)【要約】      （修正有）【課題】様々な事情により墓を持てない人々に対して、安価で独立した納骨部を有する集合墓を提供する。【解決手段】共同墓に各人用の納骨部を設け、利用者が安価で他の遺骨と合祀されずに納骨でき、名板に名前を残すことができることを特徴とする。従来、墓は代々墓・家族墓が一般的であった。様々な事情により墓を持てない人々が増え、寺院等の共同墓・合祀墓を利用するようになった。そこで、共同墓に各人用の納骨部を設け、高価な墓は購入できない、跡継ぎがいない、子どもに墓を継がせたくない等の問題を抱えている方々にも利用できる集合墓とする。さらに、中央にモニュメントの下には大きめの納骨部を設け、合祀にも対応できるようにする。【選択図】図１
0003170017.tif 000002
【実用新案登録請求の範囲】
【請求項１】
複数の他人が利用する墓。遺骨を納める納骨部を複数設け、他の人と遺骨が混同しない構造で、各納骨部に使用者の名前を明記した名板を納骨部の蓋と兼用し設置する集合墓。
【考案の詳細な説明】
【技術分野】
【０００１】  この実用新案は複数の他人が安価で利用できるよう、複数の納骨部を有した集合墓に関するものである。
【背景技術】
【０００２】  従来の墓は代々墓・家族墓が一般的で、墓地の永代使用料・墓石の建立費用は大変高価である。また、共同墓・合祀墓は他人の遺骨と合祀される。
【考案の概要】
【考案が解決しようとする課題】
【０００３】  一般的な代々墓・家族墓には次のような課題がある。
（ア）墓地の永代使用料・墓石の建立費用が大変高価である。
（イ）家を継承した家族以外は入れない。
（ウ）継承者がいない場合、放置墓になってしまう。
（エ）離婚により入る墓がなくなり、実家の墓にも入れない。
（オ）共同墓・合祀墓は一般的な墓より安価ではあるが、他人の遺骨との合祀である。
本考案は、これらの課題を解決するためである。
【課題を解決するための手段】
【０００４】  共同墓に合祀を回避するための各人用の納骨部を設ける。
【考案の効果】
【０００５】  従来、墓は代々墓・家族墓が一般的であった。様々な事情により墓を持てない人々が増え、寺院等の共同墓・合祀墓を利用するようになった。
しかし、共同墓や合祀墓は他人の遺骨との合祀であるため利用に踏み切れない人も少なくない。
そこで、共同墓に各人用の納骨部を設け、高価な墓は購入できない、跡継ぎがいない、子どもに墓を継がせたくない等の問題を抱えている方々にも利用できる集合墓とする。さらに、中央のモニュメントの下には大きめの納骨部を設け、合祀にも対応できるようにする。
【図面の簡単な説明】
【０００６】
【図１】  本考案の斜視図である。
【図２】  図１の”ａ”部詳細である。
【図３】  図２のＡ−Ａ’断面図である。
【考案を実施するための形態】
【０００７】  以下、本考案の実施形態について説明する。
（ア）共同墓に各人用の納骨部を設け集合墓とする。
（イ）納骨部は２名分の遺骨を収納できる大きさとする。（夫婦・親子・その他で利用する場合を考慮）
（ウ）この世に生きた証としての名前を名板に彫り、納骨部の蓋と兼用する。
（エ）集合墓の大きさは一般的な墓地の２〜３区画（約１０ｍ２）を使用して５０ヶ所の納骨部を設ける大きさを基準とする。（墓地の面積により納骨部の大きさや数量を変えて対応する。）
本考案は、共同墓に各人用の納骨部を設けたものである。
【実施例】
【０００８】  墓についての悩みは大変多く、図１の実施例は大半の悩みを解決してくれる。例えば、経済的な事情で墓が持てない、子どもに負担をかけたくない、後継者がいない等の問題が解消され、現代の家族形態や生活事情を考えるとおおいに役立つ。
【産業上の利用可能性】
【０００９】  共同墓に個人用の納骨部を設けることにより、他の方々の遺骨と混同することなく納骨ができ、名板に名前を刻むことにより生きた証を残すことができる。時代背景を考慮すると今後必要とされる墓の形態である。
【符号の説明】
【００１０】１  集合墓
２  各人用の墓
３  名板
４  モニュメント
５  外柵
６  投入口
７  納骨部
【図１】
0003170017.tif 000003
【図２】
0003170017.tif 000004
【図３】
0003170017.tif 000005
(57)【要約】      （修正有）【課題】新規改良を加えた雛のつるし飾りを提供する。【解決手段】装飾布地製キャップによって被冠される上部輪枠壁に複数本の布紐を懸吊し、この布紐に縁起飾物等を取り付けて雛のつるし飾りを構成する。さらに、前記の上部輪枠壁に懸吊される布紐が、短い布紐から長い布紐の順で上部輪枠壁に懸吊され、上部輪枠壁より吊り下がり、縁起物付き布紐全体が螺旋状を描くような形態になるよう形成されることを特徴とする。【選択図】図２
0003170025.tif 000002
【実用新案登録請求の範囲】
【請求項１】
装飾布地製キャップによって被冠される上部輪枠壁に複数本の布紐を懸吊し、この布紐に縁起飾物等を取り付けて構成される雛のつるし飾りにおいて、前記の上部輪枠壁に懸吊される布紐が、短い布紐から長い布紐の順で上部輪枠壁に懸吊され、上部輪枠壁より吊り下がり、縁起物付き布紐全体が螺旋状を描くような形態になるよう形成されることを特徴とする雛のつるし飾り。
【考案の詳細な説明】
【考案の詳細な名称】
【技術分野】
【０００１】  本考案は、雛のつるし飾りに関するものである。
【技術背景】
【０００２】  従来、三月節句時の雛段飾りに欠かせない飾り物として図１に示すような雛のつるし飾りが存在する。
【０００３】  即ち、図１に例示する雛のつるし飾りは、装飾布地製キャップ１を被冠する上部輪枠壁  に複数本の同じ長さの布紐２を係着して吊り下げ、個々の布紐２に、例えば鶴，ウサギ，宝袋，三番叟，這い這い人形，小毬，大毬などの縁起飾物３を装着した構造を有し、これを天井から吊り下げて飾ったり、或いは三月節句時の雛段脇に配置して雛段飾りを加飾させている。
【０００４】  従って、図１に例示する雛のつるし飾りにおいては、複数本の布紐２が同じ長さを有しているため、正面からみると、横方向の縁起飾物３の存在が死角となって、雛のつるし飾り全体を見難くする嫌いがあり、また、後方向の縁起飾物３も見離くなる不具合を有していた。
【考案の開示】
【考案が解決しようとする課題】
【０００５】  本考案は、上記従来の雛のつるし飾りに新たな改良を加えることを目的とするものであって、詳しくは、本考案は雛のつるし飾り形態をどの方向からでも万遍なく看取できるとともに、雛のつるし飾りの美観，体裁を向上させ、更には、看者に対して新趣向感覚を印象付けることができ、しかも、三月節句時の雛段脇に配置することで、雛段飾りの見映えを一層華美にすることができる特徴を有する雛のつるし飾りを提供するものである。
【課題を解決するための手段】
【０００６】  本考案は、装飾布地製キャップによって被冠される上部輪枠壁に複数本の布紐を懸吊し、この布紐に縁起飾物等を取り付けて構成される雛のつるし飾りにおいて、前記の上部輪枠壁に懸吊される布紐が、短い布紐から長い布紐の順で上部輪枠壁に懸吊され、上部輪枠壁より吊り下がる布紐全体が螺旋状を描くような形態になるよう形成されることを特徴とする（請求項１）。
【考案を実施するための最良の形態】
【０００７】  本考案の一実施例を図２の全体斜視図に基き説明すると、図面符号１１は、本考案に係る雛のつるし飾りを示し、この雛のつるし飾り１１は、装飾布地製キャップ１２を被冠する上部輪枠壁１３と、この上部輪枠壁１３に懸吊される複数本の布紐１４と、この複数本の布紐１４に取り付けられる縁起飾物１５と、により大略、構成され、  前記の上部輪枠壁１３に懸吊される布紐１４は、短い布紐から長い布紐の順で、上部輪枠壁１３に懸吊され、この上部輪枠壁１３に懸吊される縁起飾物付きの布紐全体は図２に示す如く、螺旋状Ｒを描くような形態を顕現するように形成される。【０００８】  なお、本考案に係る雛のつるし飾り１１は、スタンド（図示しない）に懸吊して使用に供することができる。また、室内の天井に吊り下げることで使用することができる。
【考案の効果】
【０００９】  本考案は、上記のような実施形態を特徴としているから、雛のつるし飾り形態を、どの方向からでも万遍なく容易に看取することができる。
【００１０】  また、従来の雛のつるし飾りに比し、一段と見映え、体裁が一段と向上し、看者に新規にして新趣向感覚を印象付けることができる雛のつるし飾りを提供することができる。
【００１１】  しかも、本考案のつるし飾りを三月節句の雛段脇に配置させることで、雛段飾りの見映えを一層、華美なものにすることができる。
【図面の簡単な説明】
【図１】  従来の雛のつるし飾りを示す全体斜視図である。
【図２】  本考案に係る雛のつるし飾りを示す全体斜視図である。
【符号の説明】１１  雛のつるし飾り
１２  装飾布地製キャップ
１３  上部輪枠壁
１４  布紐
１５  縁起飾物
Ｒ    螺旋状
【図１】
0003170025.tif 000003
【図２】
0003170025.tif 000004
(57)【要約】      （修正有）【課題】屋内用の壁スイッチにおいて個々のスイッチの使用用途を容易に表示する表示ラベルを提供する。【解決手段】表示ラベル３は、規格化されたスイッチモジュール２の高さ寸法と略同等な寸法、且つ規格化されたスイッチプレートの幅とスイッチモジュールの幅との隙間の片側寸法よりも小さい幅寸法の形状をしているので、３連スイッチプレート１に使用用途の表示ラベル３をお互いに重なり合うことなく容易に貼ることができる。【選択図】図１
0003170030.tif 000002
【実用新案登録請求の範囲】
【請求項１】
屋内用の壁スイッチに用いられる表示ラベルであって、表示ラベルの高さ寸法を規格化されたスイッチモジュールの高さ寸法と略同等にし、且つ表示ラベルの幅寸法を規格化されたスイッチプレートの幅寸法よりも小さくした形状を特徴とする表示ラベル。
【考案の詳細な説明】
【技術分野】
【０００１】  本考案は、屋内小型スイッチ類（非特許文献１参照）である壁スイッチに貼り付けてスイッチの使用用途を個々に表示するための表示ラベルに関するものである。
【背景技術】
【０００２】  従来から、屋内小型スイッチ類（非特許文献１参照）である壁スイッチで電灯を点灯または換気扇等を動作させる場合、それぞれの壁スイッチがどこの電灯や換気扇等に対応するかは主に人間の記憶に頼っていた。記憶に頼らずに点灯または動作個所を表示した表示ラベルを壁スイッチに貼る場合もあるが、多連の壁スイッチの場合には表示ラベルの寸法によっては表示ラベル同士がお互いに重なり合って用をなさないことがあった。
【先行技術文献】
【非特許文献】
【０００３】
【非特許文献１】  「ＪＩＳハンドブック電気設備ＩＩ」、（財）日本規格協会、２０１１年、ｐ２００６、Ｃ８３０４。
【考案の概要】
【考案が解決しようとする課題】
【０００４】  人間の記憶は曖昧で間違うことが多々ある。記憶に頼らずに点灯または動作個所を表示した表示ラベルを壁スイッチに貼ることもあるが、多連の壁スイッチの場合には表示ラベルの高さが１個のスイッチモジュールの高さよりも大きいと表示ラベル同士お互いに重なり合って用をなさない。またスイッチモジュール自体に使用用途を表示する方法もあるが、スイッチモジュールには表示するスペースがもともと少ないため表示が小さく明確ではなかった。
【課題を解決するための手段】
【０００５】  屋内用の壁スイッチの寸法は屋内小型スイッチ類（非特許文献１参照）で規格化されている。そこで本考案は表示ラベルの高さ寸法を規格化されたスイッチモジュールの高さ寸法と略同等にし、且つ表示ラベルの幅寸法を規格化されたスイッチプレート幅寸法よりも小さくした形状を特徴とする。
【考案の効果】
【０００６】上述の様に、本考案の表示ラベルの形状の寸法は規格化されたスイッチモジュールの高さ寸法と略同等に、且つ規格化されたスイッチプレートの幅寸法よりも小さい幅寸法にされているので、壁スイッチに使用用途の表示ラベルをお互いに重なり合うことなく貼ることを可能にして問題点を解決している。【０００７】また２連の壁スイッチの場合にはスイッチモジュールとスイッチモジュールとの間にも貼ることが出来る。またスイッチモジュールと表示ラベルの高さ寸法が略同等なため、表示ラベルを貼る際にズレや曲がりが少なくなり容易に貼り付けることが出来るという利点も有する。
【図面の簡単な説明】
【０００８】
【図１】  本考案の表示ラベルの実施例１を示す壁スイッチの正面図である。図面の上下が高さ方向で、左右が幅方向である。
【図２】  本考案の表示ラベルの実施例２を示す壁スイッチの正面図である。図面の上下が高さ方向で、左右が幅方向である。
【考案を実施するための形態】
【０００９】  本考案の表示ラベルは、形状を屋内小型スイッチ類（非特許文献１参照）で規格化されたスイッチモジュールの高さ寸法と略同等の２２．７ｍｍ、且つ規格化されたスイッチプレートの幅寸法７０ｍｍとスイッチモジュールの幅寸法２８ｍｍとの隙間の片側寸法２１ｍｍよりも小さくまたはスイッチプレート幅寸法７０ｍｍよりも小さくしたものである。
【実施例】
【実施例１】
【００１０】  図１は本考案の実施例を示すものであり、３連スイッチプレート１には３個のスイッチモジュール２が取り付けられている。表示ラベル３はスイッチプレート１に貼り付けられている。表示ラベル３はスイッチモジュール２と高さ寸法が略同等の２２．７ｍｍであるため上下の表示ラベル３同士重なり合うことはない。また表示ラベル３の幅寸法はスイッチプレートの幅寸法７０ｍｍとスイッチモジュール２の幅寸法２８ｍｍとの隙間の片側寸法２１ｍｍより小さいので、表示ラベル３が３連スイッチプレート１からはみ出すことはない。さらに表示ラベル３はスイッチモジュール２をガイドにして貼ることが出来るためずれたり曲がったりすることなく容易に貼り付けることが出来る。
【実施例２】
【００１１】  図２は本考案の別な実施例を示すものであり、２連スイッチプレート４には２個のスイッチモジュール２が取り付けられている。表示ラベル５は２個のスイッチモジュール２の間と上下に貼り付けられている。表示ラベル５はスイッチモジュール２と高さ寸法が略同等であるため、中央の表示ラベル５は上下のスイッチモジュール２と重なり合うことがない。また表示ラベル５はスイッチプレート４の幅寸法７０ｍｍより小さいので、表示ラベル５が２連スイッチプレート４からはみ出すことはない。さらに表示ラベル５は上下のスイッチモジュール２をガイドにして貼ることが出来るため、ずれたり曲がったりすることなく容易に貼り付けることが出来る。
【符号の説明】
【００１２】１  ３連スイッチプレート
２  スイッチモジュール
３  表示ラベル
４  ２連スイッチプレート
５  表示ラベル
【図１】
0003170030.tif 000003
【図２】
0003170030.tif 000004
(57)【要約】      （修正有）【課題】椅子を使用する際、殿部が底面に接触する骨格的な支持点を３点とすることで、快適な座り心地が得られる椅子の座面を提供する。【解決手段】椅子の座面中央に鞍状の突起物２をつけ、座面１に接触する殿部の支持点を２点から３点に増やすことによって、使用する際の殿部や腰部に対する安定感の向上を図る。このことによって長時間使用した場合でも、疲労しにくく座り心地の良い椅子の座面となる。【選択図】図１
0003170023.tif 000002
【実用新案登録請求の範囲】
【請求項１】
座面の中央に、勾配があり適度な弾性を有する鞍状の突起物を、縦に設けたことを特徴とする椅子の座面。
【考案の詳細な説明】
【考案の詳細な説明】
【技術分野】
【０００１】本考案は椅子の座面に関する。
【背景技術】
【０００２】従来の椅子の座面は、平面もしくは下方を凸とする曲面であった。そのため着座する際の殿部と座面との接触点は、直接的には殿部の体表面が接触する形となっているが、骨格的には骨盤の下方に位置する左右の坐骨によって支えられており、機能的な支持点はこの左右の２点となっていた。
【考案の概要】
【考案が解決しようとする課題】
【０００３】従来の椅子の座面は、骨格的に機能的な支持点が２点となっているために、着座時に殿部や腰部が前後方向に対して力学的に不安定感を伴う問題点を有していた。【０００４】この力学的な不安定感が、長時間の座位に際して腰部などの身体に疲労を起こす原因となり、腰痛の誘因にもなっていた。
【課題を解決するための手段】
【０００５】上記問題点を解決するために、椅子の座面の中央に、恥骨部を支持するに足りる適度な弾力性を備えたクッション素材を用いた鞍状の突起物を設ける。この突起物は前方に向かって勾配を増すものであり、この部分に恥骨部が接触することによって３点目の支持点が生じる。
【考案の効果】
【０００６】本考案によると、椅子への着座時の殿部の骨格的な支持点が、２点から３点に増えることによって殿部や腰部の安定感を向上させることができる。この安定感の向上により、長時間椅子に座る際の身体への負担の軽減を図ることができ、疲労しにくく座り心地の快適な椅子を提供することができる。
【図面の簡単な説明】
【０００７】
【図１】椅子の座面を示した斜視図である。
【図２】椅子の座面を示した平面図である。
【図３】椅子の座面を示した断面図である。
【考案を実施するための形態】
【０００８】図１に示す本考案の実施例について説明する。
１は椅子の座面本体である。この部分で、左右の坐骨の骨格的な２点を支持する。
【０００９】２は適度な弾性を備えたクッション材からなり、前方に向かって勾配の増す鞍状の突起物である。この部分で、恥骨の骨格的な１点を支持する。
【実施例】
【００１０】このようなことから、本考案による椅子の座面は、長時間の座位や長時間の座位状態での運動時にかかる身体への負担の軽減を図ることができ、疲労しにくく座り心地の快適な椅子を提供することができるため、椅子のみならず、腰掛けやクッションや各種の乗り物の座席など、さまざまな座面に提供できるものである。【００１１】また、本考案による座面は椅子と一体的なものであるが、座面単独でクッションとして椅子上に戴置しての利用も可能である。
【符号の説明】
【００１２】１座面本体
２鞍状の突起物
【図１】
0003170023.tif 000003
【図２】
0003170023.tif 000004
【図３】
0003170023.tif 000005
(57)【要約】      （修正有）【課題】各々が自分の保護帽、安全帯を保管する為の共用スペースが必要なく、ロッカー内とか机の足元、机の上等空きスペースで現場持ち出し品をまとめて収納できる収納具を提供する。【解決手段】床置き型で箱上面に保護帽の上部円錐部を下に向けて、保持するする大きさの穴が開けてあり、その穴先端部の保護帽表面に接する箇所に切り込みが入れてあり、その端全てを下向きに折り曲げ、保護帽を納める。箱正面の上部の帯部材は、箱上面に接する辺と繋がっていて、その一部分が正面左右側辺に差し込まれ固定されている。他の面は全て閉じている。底部内側には底部と同幅の引き出しが有り、その手前には小穴が開けてある。【選択図】図２
0003170024.tif 000002
【実用新案登録請求の範囲】
【請求項１】
箱状の本体の上部に保護帽の形に沿った穴が設けられ、当該穴の周りに放射状の等間隔に切り込みを設け、帯部材の両端部の先端が左右側辺と固定され、本体の正面か開口し且つ当該開口に引き出しを設けたことを特徴とする保護帽安全帯収納具。
【請求項２】
前記引き出しの両側面に適度の高さのウイングが奥行方向にあることを特徴とする請求項１に記載の一人用保護帽安全帯収納具。
【考案の詳細な説明】
【技術分野】
【０００１】  本実用新案は保護帽や高所転落防止用安全帯の収納に関するものである。
【背景技術】
【０００２】  従来建設現場等で使用する保護帽や高所転落防止安全帯の保管方法は部屋の壁面に取付け保管するものが主流である。
【先行技術文献】
【０００３】
【特許文献１】特開２０１０１６２３０３
【考案の概要】
【考案が解決しようとする課題】
【０００４】  最近の建設現場事務所は賃貸アパートやマンションを利用するケースが多くなり、コンクリート壁面にビスや釘を使って取付けるヘルメットボードでは使用できない為、保護帽と安全帯の保管場所に困っている。
【課題を解決するための手段】
【０００５】  床置き型とし、各々が管理保管する。箱上面には保護帽の上部円錐部を下に向けて保持出来る大きさの穴が開けてあり、その穴先端部に保護帽表面に接するよう切込みが入れてある。その端全てを下向きに折り曲げ保護帽を納める。箱正面の上側に帯部材が有り、その一部分を左右側辺に差し込む。他の面は全て閉じられている。底部内側には底部と同じ幅の引き出しを設け、その手前側に小穴がある。
【考案の効果】
【０００６】  各々が自分の保護帽、安全帯を保管する為、共用スペースが必要ない。ロッカー内とか机の足元、机の上等空きスペースで現場持ち出し品をまとめて収納でき、美観的である。
【図面の簡単な説明】
【０００７】
【図１】正面図
【図２】平面図
【図３】左側面図
【図４】平面図
【図５】展開図
【考案を実施する為の形態】
【０００８】（イ）箱状をなし、上面に保護帽の上面円錐部分を下向きに置いて下にズリ落ちないサイズの穴が開いていている。その穴の先端部に放射状に等間隔に切り込みが有り、その端全てを下向きに折り曲げる。
（ロ）正面は帯部材の幅を除き開放されている、帯部材は上面と繋がっている。正面の左右側辺の上部側に帯部材の一部分を差し込む為、縦溝が有りそこに差し込んで固定する。
（ハ）背面と右、左側面と底面は塞がっている。
（二）引き出しは底面内側と同じ幅で底面の上に置く、奥行の長さは少し長く、手前側先端に穴が開いていて引き出し易くなっている。
（ホ）運搬時保護帽や安全帯が箱内部に収納でき、又落ちにくく且つ安全帯や靴が収納可能となる寸法になるような、帯部材の高さとするとする。
（ヘ）プラスチックダンボール材を使い耐水性、耐久性を強め、底部の引き出しの両サイドにウイングを設け出し入れし易くする。
【符号の説明】
【０００９】１）上面
２）帯部材
３）右側辺
４）左側辺
５）引き出し
６）切り込み
【図１】
0003170024.tif 000003
【図２】
0003170024.tif 000004
【図３】
0003170024.tif 000005
【図４】
0003170024.tif 000006
【図５】
0003170024.tif 000007
(57)【要約】      （修正有）【課題】様々な厚みを持つ書類、葉書の束等、又は、様々な形状の物品をひとつの綴じ具を以って、手間なく簡易に纏めることができる綴じ具を提供する。【解決手段】八の字状のゴム紐１の輪を作り、当該輪のクロス部分を固定２し、且つ、それにより出来る２つの輪を、非固定の留め具３にて連結した綴じ具とする。非固定の留め具にて連結したものによって、一文字掛けの状態から簡易に十字掛けに移行することが可能となり、クロス部が固定、及び、連結留め具が在ることで、出来上がった十字掛けをしっかりとしたものとすることができる。【解決手段】図１【実用新案登録請求の範囲】
【請求項１】
八の字状のゴム紐の輪を作り、当該輪のクロス部分を固定し、且つ、それにより出来る２つの輪を、非固定の留め具にて連結したものとする。
【考案の詳細な説明】
【技術分野】
【０００１】本考案は、様々な厚みを持つ書類、葉書の束等、又は、様々な形状の物品を簡易に纏めるものである。
【背景技術】
【０００２】従来の綴じ具として、紐、輪ゴム、クリップ、箱、ファイル、ケース類等多岐に存在するが、単なる紐では手間があり、輪ゴムでは外観、及び耐久性に懸念が残り、他の綴じ具では、厚み、形状の違いに沿った対応をすることが困難、又は、何種類かの綴じ具を用意する必要に迫られる場合がある。
【考案の開示】
【考案が解決しようとする課題】
【０００３】ひとつの綴じ具で、厚み、形状を気にせず、簡易に十字掛けを施し、纏めることが出来る綴じ具を提供する。
【課題を解決するための手段】
【０００４】以上の課題を解決するために、伸縮性のあるゴム紐を使用し、その伸縮性を以って、多岐に渡る物品等を纏めることが可能となり、また美観、耐久性も引き出すことができる。
且つ、八の字状のゴム紐のクロス部を固定、それにより出来る２つの輪を、非固定の留め具にて連結したものによって、一文字掛けの状態から簡易に十字掛けに移行することが可能となり、クロス部が固定、及び、連結留め具が在ることで、出来上がった十字掛けをしっかりとしたものとすることができる。
【考案の効果】
【０００５】耐久性、美観を備え、且つ、様々な厚みの書類、葉書等の束など、又は、様々な形状の物品を簡易に纏めることが出来る。
【図面の簡単な説明】
【０００６】
【図１】当該考案の全体図として、ゴム紐、クロス固定部、連結留め具から成る
【図２】考案の一例として、書類の束を用い、一字掛けの状態を示す
【図３】考案の完成形態として、十字掛けが施された状態を示す
【符号の説明】
【０００７】１      ゴム紐
２      クロス固定部
３      連結留め具
【図１】
0003170004.tif 000002
【図２】
0003170004.tif 000003
【図３】
0003170004.tif 000004
【手続補正書】
【提出日】平成23年6月11日(2011.6.11)
【手続補正１】
【補正対象書類名】実用新案登録請求の範囲
【補正対象項目名】全文
【補正方法】変更
【補正の内容】
【実用新案登録請求の範囲】
【請求項１】
八の字状のゴム紐の輪を作り、当該輪のクロス部分を固定し、且つ、それにより出来る２つの輪を、非固定の留め具にて連結した綴じ具とする。
(57)【要約】      （修正有）【課題】結露を取る場所の最下部や端の部分の結露や、高い位置の結露を容易に取ることができる蛇腹式結露取り具を提供する。【解決手段】結露取り具をワイパー部分１と、握持部分２のふたつの部品で構成し、握持部分３の部分は蛇腹状に成形する。握持部分の蛇腹状の部分を曲げることで、結露を取る場所の最下部や端の部分の結露を取るときに、握持部分の最下部が邪魔にならない。また、握持部分３の蛇腹状の部分を引伸ばすことで、握持部分の全長が長くなり、結露を取る場所がより高い位置まで取ることが可能になる。【選択図】図１
0003170005.tif 000002
【実用新案登録請求の範囲】
【請求項１】
結露取り具のワイパーと握持を結合する部分に蛇腹部分を設ける事により、ワイパーと握持の角度を自由に曲げる事ができ、ガラス窓や壁などの最下部や端の部分の結露を取る時に、握持部分が床や壁に接触せずに、隅々まで結露が取れる事を特徴とする結露取り具。
【請求項２】
前述の蛇腹部分を引伸ばす事で握持部分の長さを伸ばす事ができ、より高い場所の結露も取れる事を特徴とする結露取り具。
【考案の詳細な説明】
【技術分野】
【０００１】  本考案は、ガラスや天井、壁面等に付着している結露をかき取るための結露取り具に関するものである。
【背景技術】
【０００２】  現在ある結露取り具は、ワイパーの部分と貯水タンクを兼ねる握持部分が垂直に固定されている。
【考案の概要】
【考案が解決しようとする課題】
【０００３】ワイパーの部分と貯水タンクを兼ねる握持部分が垂直に固定されていると、ガラスや天井、壁面の最下部や端の部分の結露を取る時に握持部分が邪魔になり使い難い。【０００４】ガラス窓や天井、壁面の背が届き難い高い部分の結露が取り難い。
【課題を解決するための手段】
【０００５】ワイパーと握持を結合する部分を蛇腹状に成形する事により、ワイパーと握持の角度を自由に曲げる事ができ、ガラス窓の最下部や壁の端の部分の結露を取る時に、握持部分が床や壁に当たる事を解決している。【０００６】ワイパーと握持を結合している蛇腹部分を引き延ばす事により、ガラス窓や天井、壁面の背が届き難い高い部分も結露が取り難い事を解決している。
【考案の効果】
【０００７】上述の様に、ワイパーと握持部分を自由に曲げられる事により、ガラス窓の最下部や壁の端の部分の結露が取り易くなる。【０００８】上述の様に、ワイパーと握持を結合している蛇腹部分を引き延ばす事により、ガラス窓や天井、壁面の背が届き難い高い部分も結露が取り易くなる。
【図面の簡単な説明】
【０００９】
【図１】本考案の「蛇腹結露取り具」の正面図である。
【図２】本考案の「蛇腹結露取り具」の側面図である。
【図３】本考案の蛇腹を伸ばした実施例である。
【図４】本考案の蛇腹部分を曲げた実施例である。
【考案を実施するための形態】
【００１０】以下、この考案の蛇腹式結露取り具の形態を、図面に基づいて詳細に説明する。
【００１１】［図４］に示したように、ワイパーの握持部分上方の蛇腹部分を約９０度曲げる。
握持部分上方が曲がることにより、ガラス窓の最下部の結露を取る時に、握持部分が床面に接触しない形状になる。
【００１２】［図３］に示したように、ワイパー部分と握持部分下方を引張り、蛇腹部分を引伸ばす事により握持部分の全長が長くなる。
【実施例】
【００１３】ワイパーの握持部分の蛇腹部分より上部を握り、ワイパーをガラス窓に押付けながら上方にスライドさせ、ガラスに付着した結露を取り除く。【００１４】ワイパーの握持部分が床面に接触しない高さまで結露が取れたら、蛇腹部分の曲がりを元に戻し、握持部分を垂直にして結露取りを続ける。【００１５】ガラス窓の背が届かない高い場所にある結露は、ワイパーの握持部分の蛇腹を引伸ばして握持部分を長くする事により、より高い場所の結露も取れるようになる。
【符号の説明】１    ワイパー部分
２    握持部分
２ａ  握持部分最下部
３    蛇腹部分
３ａ  蛇腹部分折り曲げ状態
３ｂ  蛇腹部分引伸ばし状態
３ｃ  握持部分が伸びた状態
【図１】
0003170005.tif 000003
【図２】
0003170005.tif 000004
【図３】
0003170005.tif 000005
【図４】
0003170005.tif 000006
【手続補正書】
【提出日】平成23年6月8日(2011.6.8)
【手続補正１】
【補正対象書類名】実用新案登録請求の範囲
【補正対象項目名】全文
【補正方法】変更
【補正の内容】
【実用新案登録請求の範囲】
【請求項１】
結露取り具のワイパーと握持部分を結合する箇所に蛇腹部分を設ける事により、ワイパーと握持部分の角度を自由に曲げる事ができ、ガラス窓や壁などの最下部や端の部分の結露を取る時に、握持部分が床や壁に接触せずに、隅々まで結露が取れる事を特徴とする結露取り具。
【請求項２】
前述の蛇腹部分が引伸ばし可能であり、握持部分の長さを伸ばす事ができ、より高い場所の結露も取れる事を特徴とする、請求項１記載の結露取り具。